(57)【要約】【課題】建物に隣接する隣接野外空間の使い勝手を向上させることができる建物を提供すること。【解決手段】建物１０は、その主要部を構成する建物本体１１を有しており、建物本体１１の一側面には、外壁面の一部が内側に凹んだ凹部１５が形成されている。凹部１５の内側には駐車スペース２１が設けられており、駐車スペース２１は凹部壁面２２により三方が囲まれている。建物本体１１には、太陽光が照射されることで太陽光発電を行うソーラパネル４１が設けられており、ソーラパネル４１は、屋上部分１４よりも上方の位置である上方位置と、屋上部分１４よりも下方の位置である下方位置とに移動可能となっている。駐車スペース２１は、ソーラパネル４１が下方位置にある場合にその上方が覆われており、ソーラパネル４１が上方位置にある場合にその上方が開放されている。【選択図】図１
2009155803.tif 000002
【特許請求の範囲】
【請求項１】
建物本体の屋上部分に可動式パネルを有する建物であり、
前記可動式パネルを移動させる移動手段と、
前記可動式パネルの移動条件を判定する判定手段と、
前記判定手段の判定結果に基づいて、建物本体に隣接する隣接野外空間の上方を覆う位置に前記可動式パネルが移動するように前記移動手段を動作制御する制御手段と
を備えることを特徴とする建物。
【請求項２】
前記可動式パネルは、太陽光が照射されることで太陽光発電を行うソーラパネルであり、
前記制御手段は、前記建物本体の上方に位置することで前記隣接野外空間を覆わない第１位置と、前記建物本体の側方に位置することで前記隣接野外空間の上方を覆う第２位置とに前記ソーラパネルが移動するように前記移動手段を動作制御する請求項１に記載の建物。
【請求項３】
前記制御手段による前記移動手段の動作制御が行われる場合、前記ソーラパネルにより発生された電力が前記ソーラパネルの移動に使用される請求項２に記載の建物。
【請求項４】
前記隣接野外空間は、前記建物本体の外壁面の一部を内側に凹ませてその凹部分の外壁面に囲まれるように形成された凹状外空間を有し、
前記ソーラパネルは、前記第２位置にある場合に前記凹状外空間の上方を覆う請求項２又は３に記載の建物。
【請求項５】
前記凹状外空間は、前記凹部分の外壁面に囲まれていない開放側を側方に有し、
前記制御手段は、前記開放側を閉鎖する位置に前記ソーラパネルが移動するように前記移動手段を動作制御する請求項４に記載の建物。
【請求項６】
気象に関する情報を取得する取得手段を備え、
前記制御手段は、前記取得手段により取得された気象情報に基づいて前記移動手段を動作制御する請求項１乃至５のいずれか１項に記載の建物。
【請求項７】
前記取得手段は、降雨を検出する雨検出手段であり、
前記制御手段は、前記雨検出手段により降雨が検出された場合に、前記隣接野外空間の上方を覆う位置に前記可動式パネルが移動するように前記移動手段を動作制御する請求項６に記載の建物。
【請求項８】
前記隣接野外空間は、車両が駐車される駐車スペースを有し、
前記制御手段は、前記駐車スペースの上方を覆う位置に前記可動式パネルが移動するように前記移動手段を動作制御する請求項１乃至７のいずれか１項に記載の建物。
【請求項９】
前記建物本体の外壁面には、該建物本体の内部と前記隣接野外空間とに通じる開口部が形成されており、
前記制御手段は、前記開口部を覆う位置に前記可動式パネルが移動するように前記移動手段を動作制御する請求項１乃至８のいずれか１項に記載の建物。
【請求項１０】
前記建物本体から前記隣接野外空間に張り出して設けられているバルコニーを備え、
前記制御手段は、前記バルコニーの上方を覆う位置に前記可動式パネルが移動するように前記移動手段を動作制御する請求項９に記載の建物。
【発明の詳細な説明】
【技術分野】
【０００１】
本発明は、建物に関するものである。
【背景技術】
【０００２】
敷地内に住宅等の建物が構築されている場合、建物に隣接して駐車場や庭等が設けられていることが多い。例えば、特許文献１に記載されている建物では、上方に屋根が配置されたガレージが建物に隣接して設けられている。このガレージは、上方の一部が屋根に覆われずに吹き抜けた構成となっており、外部からの視線をある程度遮断しつつ、吹き抜け部から風や太陽光を取り入れることができるようになっている。
【特許文献１】特開２００１−３２３６６６号公報
【発明の開示】
【発明が解決しようとする課題】
【０００３】
しかしながら、上記特許文献１の建物では、ガレージにおいて、上方が屋根に覆われた屋根下スペースの用途と吹き抜けスペースの用途とがそれぞれ一様になる。これは、常に上方が屋根に覆われている屋根下スペースにおいては、例えば晴天時であっても太陽光を取り入れることが困難となり、常に上方が開放されている吹き抜けスペースにおいては、例えば雨天時に雨が降り込まないようにすることが困難となるためである。したがって、建物に隣接する屋外側スペースにおいて使い勝手が悪くなるおそれがある。
【０００４】
そこで、本発明は、建物に隣接する隣接野外空間の使い勝手を向上させることができる建物を提供することを目的とするものである。
【課題を解決するための手段】
【０００５】
本発明は、上記課題を解決するために、以下の手段を採用した。
【０００６】
第１の発明は、建物本体の屋上部分に可動式パネルを有する建物であり、前記可動式パネルを移動させる移動手段と、前記可動式パネルの移動条件を判定する判定手段と、前記判定手段の判定結果に基づいて、建物本体に隣接する隣接野外空間の上方を覆う位置に前記可動式パネルが移動するように前記移動手段を動作制御する制御手段とを備えることを特徴とする。
【０００７】
第１の発明によれば、制御手段により移動手段の動作制御が行われることで、隣接野外空間の上方を覆う位置に可動式パネルが移動する。ここで、可動式パネルは、都度の移動条件に応じて移動するため、気象条件やユーザの都合などが移動条件とされた場合に、気象条件やユーザの希望に合わせて隣接野外空間の状態を切り替えることができる。すなわち、隣接野外空間を、その上方が可動式パネルにより覆われている状態や同上方が開放されている状態に適宜切り替えることができる。したがって、建物に隣接する隣接野外空間の使い勝手を向上させることができる。
【０００８】
第２の発明では、前記可動式パネルは、太陽光が照射されることで太陽光発電を行うソーラパネルであり、前記制御手段は、前記建物本体の上方に位置することで前記隣接野外空間を覆わない第１位置と、前記建物本体の側方に位置することで前記隣接野外空間の上方を覆う第２位置と前記ソーラパネルが移動するように前記移動手段を動作制御する。
【０００９】
第２の発明によれば、ソーラパネルが第１位置にある場合、ソーラパネルは建物本体の上方に位置することで隣接野外空間を覆わないため、ソーラパネルには建物本体に遮られることなく太陽光が照射されるとともに、隣接野外空間には太陽光や雨が積極的に取り入れられる。この場合、ソーラパネルでは晴天時における発電量を極力大きく確保しつつ、隣接野外空間は屋根無し空間として使用することができる。これに対して、ソーラパネルが第２位置にある場合、ソーラパネルは建物本体の側方に位置することで隣接野外空間の上方を覆うため、ソーラパネルには建物本体に遮られて太陽光が照射されない部分が発生することがある一方で、隣接野外空間では積極的に日陰を確保することができるとともに上方及び側方からの雨の降り込みが抑制される。この場合、ソーラパネルは太陽光発電を行うには適さない位置にあるが、隣接野外空間を屋根有り空間として使用することができる。以上の結果、ソーラパネルによる太陽光発電を行いつつ、気象条件やユーザの都合に合わせて隣接野外空間を屋根無し空間又は屋根有り空間に切り替えることができる。
【００１０】
第３の発明では、前記制御手段による前記移動手段の動作制御が行われる場合、前記ソーラパネルにより発生された電力が前記ソーラパネルの移動に使用される。
【００１１】
第３の発明によれば、ソーラパネルの移動にはソーラパネルにより発電された電力が使用されるため、建物に対する商用電力の供給の有無に関係なくソーラパネルを移動させることができる。
【００１２】
第４の発明では、前記隣接野外空間は、前記建物本体の外壁面の一部を内側に凹ませてその凹部分の外壁面に囲まれるように形成された凹状外空間を有し、前記ソーラパネルは、前記第２位置にある場合に前記凹状外空間の上方を覆う。
【００１３】
第４の発明によれば、凹状外空間は、凹部分の外壁面に囲まれているため、例えば中庭を配置するのに適した空間となっている。また、凹状外空間は、その上方がソーラパネルにより覆われている場合には一側だけが開放された空間となり、その空間を半屋外空間として使用することができる。ここで、ソーラパネルは、第２位置にある場合に凹状外空間の上方を覆うと同時に建物本体の側方に位置するため、凹状外空間の内部に存在することになって太陽光が当たりにくくなると考えられるが、第１位置にある場合には建物本体の上方に位置するため太陽光が当たり易くすることが可能となる。
【００１４】
第５の発明では、前記凹状外空間は、前記凹部分の外壁面に囲まれていない開放側を側方に有し、前記制御手段は、前記開放側を閉鎖する位置に前記ソーラパネルが移動するように前記移動手段を動作制御する。
【００１５】
第５の発明によれば、ソーラパネルにより凹状外空間の開放側が閉鎖されるため、凹状外空間のセキュリティ性を向上させることが可能となる。したがって、凹状外空間を半屋外空間として使用する場合に、その使い勝手をより一層向上させることができる。
【００１６】
第６の発明では、気象に関する情報を取得する取得手段を備え、前記制御手段は、前記取得手段により取得された気象情報に基づいて前記移動手段を動作制御する。
【００１７】
第６の発明によれば、気象情報に基づいて移動手段の動作制御が行われるため、その時々の気象条件に合わせて可動式パネルをきめ細かく移動させることが可能となる。
【００１８】
第７の発明では、前記取得手段は、降雨を検出する雨検出手段であり、前記制御手段は、前記雨検出手段により降雨が検出された場合に、前記隣接野外空間の上方を覆う位置に前記可動式パネルが移動するように前記移動手段を動作制御する。
【００１９】
第７の発明によれば、雨検出手段により降雨が検出された場合に隣接野外空間の上方が可動式パネルにより覆われるため、隣接野外空間への雨の降り込みをより確実に抑制することができる。
【００２０】
第８の発明では、前記隣接野外空間は、車両が駐車される駐車スペースを有し、前記制御手段は、前記駐車スペースの上方を覆う位置に前記可動式パネルが移動するように前記移動手段を動作制御する。
【００２１】
第８の発明によれば、可動式パネルにより駐車スペースの上方が覆われるため、駐車スペースに車両が駐車されている場合に、その駐車車両を雨や太陽光から保護することが可能となる。
【００２２】
第９の発明では、前記建物本体の外壁面には、該建物本体の内部と前記隣接野外空間とに通じる開口部が形成されており、前記制御手段は、前記開口部の上方及び側方の少なくとも一方を覆う位置に前記可動式パネルが移動するように前記移動手段を動作制御する。
【００２３】
第９の発明によれば、可動式パネルにより開口部の上方が覆われることで、開口部周辺や開口部内側への雨の降り込みや太陽光の差し込みを抑制することができる。また、可動式パネルにより開口部の側方が覆われることで、開口部やその開口部を通じての建物本体の内部に対する外部からの視線を遮ることができる。
【００２４】
第１０の発明では、前記建物本体から前記隣接野外空間に張り出して設けられているバルコニーを備え、前記制御手段は、前記バルコニーの上方を覆う位置に前記可動式パネルが移動するように前記移動手段を動作制御する。
【００２５】
第１０の発明によれば、稼動式パネルによりバルコニーの上方が覆われることで、バルコニーへの雨の降り込みや太陽光の差し込みを抑制することができる。したがって、バルコニーの使い勝手を向上させることができる。なお、可動式パネルによりバルコニーの側方が覆われることで、突出スペースに対する外部からの視線を遮ることができる。
【発明を実施するための最良の形態】
【００２６】
以下、本発明を具体化した一実施形態を図面に基づいて説明する。本実施形態では、居室等の屋内スペースを有する建物について具体化しており、その建物についての詳細を以下に説明する。図１は建物の概要を示す斜視図、図２は建物の構成を説明するための説明図である。
【００２７】
図１に示すように、住宅等の建物１０は、ユニット式建物よりなり、その主要部を構成する建物本体１１は、例えば複数の建物ユニットが組み合わされることで形成されている。建物本体１１は、一階部分１２と、一階部分１２の上方に設けられている二階部分１３とを有しており、一階部分１２及び二階部分１３の内部にはそれぞれ屋内空間が形成されている。また、二階部分１３の上方には屋上部分１４が設けられており、屋上部分１４には屋上空間が形成されている。
【００２８】
建物本体１１の一側面には、外壁面の一部が内側に凹んだ凹部１５が形成されており、凹部１５の内側には、車両Ｃ（図２参照）が駐車される駐車スペース２１が設けられている。駐車スペース２１は、横断面コ字状の凹部壁面２２により三方が囲まれており、建物本体１１の一階部分１２及び二階部分１３に通じ、且つ上方に屋根がない構成となっている。また、駐車スペース２１は、建物本体１１に隣接する隣接野外空間の一部になっているとともに、凹部１５の内側に形成された凹状外空間の一部になっており、建物本体１１の一側面（例えば南側面）に開放されている。凹部壁面２２は、駐車スペース２１を挟んで対向する２つの側方壁面２２ａと、凹部１５の開放側と対向して駐車スペース２１の奥方に位置する奥方壁面２２ｂとを有しており、側方壁面２２ａと奥方壁面２２ｂとは互いに直交している。凹部１５の開放側は、駐車スペース２１における出入口２５となっており、その出入口２５から駐車スペース２１への車両Ｃの出入りが行われる。
【００２９】
建物本体１１は、駐車スペース２１の奥方に位置する外壁２７を有しており、外壁２７は奥方壁面２２ｂを形成している。駐車スペース２１の上方には、二階部分１３における外壁２７から凹部１５内の駐車スペース２１（隣接野外空間）側に突出するようにして形成されているバルコニー３１が設けられている。
【００３０】
図２に示すように、バルコニー３１は、突出部として床部３２と手摺壁３３とを有しており、床部３２は、凹部１５において対向する側方壁面２２ａに掛け渡されるように且つ奥方壁面２２ｂから延びるようにして設置され、手摺壁３３は、床部３２における凹部１５の開放側の端部に起立するようにして設置されている。床部３２の上方には、側方壁面２２ａ、奥方壁面２２ｂ及び手摺壁３３によって囲まれたバルコニースペース３４が突出スペースとして形成されており、バルコニースペース３４は、前記隣接野外空間の一部となっている。
【００３１】
外壁２７には、バルコニースペース３４と二階部分１３の屋内空間とを連通する開口部３８が形成されており、開口部３８を出入りすることでバルコニー３１と二階部分１３とを行き来することができるようになっている。ここで、バルコニースペース３４を屋外側とすれば、開口部３８を出入りすることが屋内外への行き来を行うことになる。
【００３２】
図１（ａ）に示すように、建物本体１１の屋上部分１４には、太陽光が照射されることで太陽光発電を行うソーラパネル４１が設けられている。より詳しくは、ソーラパネル４１を支持する支持架台４２が、屋上部分１４において、凹部１５よりも奥方に且つその凹部１５と前後に並ぶように設置されている。支持架台４２は、架台レール部４３と、架台レール部４３を支える架台脚部４４と、架台レール部４３及び架台脚部４４を建物本体１１に対して固定する架台ベース部４５とを有している（図２参照）。架台レール部４３は、凹部１５において対向する各側方壁面２２ａのそれぞれの側に配置されており、奥方壁面２２ｂ寄りの各側方壁面２２ａの上端部から凹部１５よりも奥方に向かって斜め上方に延びている。ソーラパネル４１は、全体として略矩形状の板状に形成されており、そのパネル面４１ａが斜め上方を向くように且つ架台レール部４３に沿って斜め上方に延びるように支持架台４２に支持されている。
【００３３】
本実施形態では、ソーラパネル４１が建物本体１１の屋上部分１４よりも上方の位置と同屋上部分１４よりも下方の位置との間で移動可能な構成となっている。より詳しくは、建物本体１１の凹部１５において、対向する側方壁面２２ａのそれぞれに凹部レール部５１が取り付けられている。それら凹部レール部５１は、それぞれの側に配置されている架台レール部４３から連続して直線状に延びるように配置されており、その端部は側方壁面２２ａにおける出入口２５側まで達している。
【００３４】
ソーラパネル４１は、架台レール部４３及び凹部レール部５１に沿って斜め方向に移動する構成となっている。ソーラパネル４１の両端部には、それらレール部４３，５１に沿ってスライド移動するスライド部（図示略）が設けられている。例えばスライド部としてタイヤ等の回転体が設けられており、ソーラパネル４１は、回転体が回転することで移動するようになっている。したがって、ソーラパネル４１が架台レール部４３から凹部レール部５１に向かって移動するように回転体が回転することで、図１（ｂ）に示すように、ソーラパネル４１は、斜め下方に向かって凹部１５の内側まで移動することが可能となっている。この場合、架台レール部４３及び凹部レール部５１は、ソーラパネル４１の移動を案内する案内レールとしての役割を果たしている。
【００３５】
ここで、ソーラパネル４１について説明すると、ソーラパネル４１は複数の太陽電池を有しており、それら太陽電池はパネル面４１ａに太陽光が照射されることで電力を発生させる。すなわち、ソーラパネル４１では、光エネルギーを電気エネルギーに変換することで太陽光発電が行われている。
【００３６】
次に、ソーラパネル４１の移動に関する電気的構成について、図２を参照しつつ説明する。なお、図２はソーラパネル４１及び建物１０の概略断面を示している。
【００３７】
図２に示すように、建物１０にはホームコンピュータとしてのコントローラ６１が備えられており、コントローラ６１は、例えば一階部分１２の屋内空間に配置されている。コントローラ６１は、ＣＰＵや各種メモリ等からなるマイクロコンピュータを有しており、そのマイクロコンピュータにより指令信号が生成されることでソーラパネル４１の移動制御が行われる。なお、コントローラ６１には、人が入力操作できる操作部６１ａが設けられており、操作部６１ａに対する入力操作に応じて指令信号を生成するようになっている。
【００３８】
コントローラ６１には、車両Ｃ側との無線通信が可能である建物側通信部６２と、雨滴を検出することで降雨を感知する降雨感知センサ６３と、ソーラパネル４１のパネル面４１ａにおける日射量を検出する日射量検出センサ６４と、ソーラパネル４１における発電量を検出する発電量検出センサ６５と、後述するバッテリ８１に蓄電されている電力量を検出する蓄電量検出センサ６６とが接続されている。これらセンサ６３〜６６はコントローラ６１に対して各種検出信号を出力するようになっている。
【００３９】
建物側通信部６２は、凹部壁面２２における駐車スペース２１に対向する位置に取り付けられている。降雨感知センサ６３及び日射量検出センサ６４は、架台４２の上部に取り付けられており、発電量検出センサ６５は、ソーラパネル４１に取り付けられている。
【００４０】
また、コントローラ６１には、駆動することでソーラパネル４１を上方又は下方に移動させるモータ６８が駆動部として接続されており、コントローラ６１は、モータ６８に対して指令信号を出力することでモータ６８の駆動制御を行う。すなわち、ソーラパネル４１の移動制御を行う。
【００４１】
駐車スペース２１に駐車される車両Ｃには、コントローラ６１に対して送信する信号を生成するＥＣＵ７１が備えられており、ＥＣＵ７１には、建物側通信部６２との無線通信が可能な車両側通信部７２が備えられている。ＥＣＵ７１は、例えば駐車スペース２１において車両Ｃの駐車が完了したことを示す情報や、駐車されている車両Ｃがこれから発進することを示す情報等を含む車両信号を生成し、その車両信号を車両側通信部７２から建物側通信部６２に送信させる。
【００４２】
ソーラパネル４１にはバッテリ８１が接続されており、ソーラパネル４１にて発生された電力はバッテリ８１に蓄電される。バッテリ８１には、モータ６８や、建物１０に設けられている各種の電気設備８２が接続されており、それらモータ６８や電気設備８２にはバッテリ８１から電力が供給される。したがって、ソーラパネル４１は、自身で発生させた電力により位置移動されることになる。なお、電気設備８２は、建物１０に設けられている電灯やコンセント等であり、商用電力の他に太陽光発電による電力が供給される。これにより、商用電力の使用量を低減することが可能となる。また、ソーラパネル４１又はバッテリ８１には、インバータ等の電力変換装置（図示略）が接続されており、ソーラパネル４１から供給された直流電力が電力変換装置で交流電力に変換され、モータ６８や電気設備８２には交流電力が供給されるようになっている。
【００４３】
なお、ソーラパネル４１にて発生された電力が商用電力の供給元の側に供給される構成であってもよい。この場合、ソーラパネル４１にて発生されても建物１０側で使用されずに余剰となった電力を有効に利用することが可能となる。なお、この場合は、バッテリ８１や蓄電量検出センサ６６が設けられていなくてもよい。
【００４４】
続いて、ソーラパネル４１の移動位置について、図３を参照しつつ説明する。
【００４５】
ソーラパネル４１は、上方又は下方に移動するとともに、建物本体１１の屋根部（二階部分１３と屋上部分１４との境界部）よりも上方の位置である「上方位置」（第１位置に相当）と、屋根部よりも下方の位置である「下方位置」（第２位置に相当）と、上方位置と下方位置との中間にある「中間位置」とにおいて、モータ６８の駆動が停止されることで位置保持される構成となっている。
【００４６】
図３（ａ）に示すように、ソーラパネル４１が上方位置にある場合、駐車スペース２１及びバルコニー３１の上方がソーラパネル４１には覆われていない。したがって、晴天時には、駐車スペース２１やバルコニースペース３４に太陽光が差し込み、それらスペース２１，３４を、洗濯物を乾燥させるためのスペースとして使用することが可能となる。また、バルコニースペース３４に差し込んだ太陽光は、開口部３８を通じて二階部分１３の屋内空間にも取り込まれる。さらに、ソーラパネル４１が上方位置にある場合、ソーラパネル４１は、建物本体１１の上方にあるため、太陽光が建物本体１１に遮られることなくパネル面４１ａに照射される。なお、パネル面４１ａが南の方角を向くようにソーラパネル４１が設置されていると、パネル面４１ａに対する太陽光の照射量を極力大きく確保することができる。
【００４７】
図３（ｂ）に示すように、ソーラパネル４１が上方位置から斜め下方に移動して中間位置にある場合、駐車スペース２１の上方は覆われていないがバルコニー３１の上方がソーラパネル４１により覆われている。したがって、晴天時には、駐車スペース２１に太陽光が差し込む一方で、ソーラパネル４１により太陽光が遮られることでバルコニースペース３４及び二階部分１３の屋内空間に日陰が発生する。一方、雨天時には、ソーラパネル４１によりバルコニースペース３４への雨の降り込みが抑制され、バルコニー３１に洗濯物が干されていてもその洗濯物が雨に濡れないようになっている。なお、ソーラパネル４１が中間位置にある場合、ソーラパネル４１はバルコニー３１において庇としての役割を果たしており、この場合のバルコニー３１は庇を有するいわゆるロジアとなっている。
【００４８】
図３（ｃ）に示すように、ソーラパネル４１が中間位置からさらに斜め下方に移動して下方位置にある場合、バルコニー３１に加えて駐車スペース２１の上方がソーラパネル４１により覆われている。したがって、晴天時には、バルコニースペース３４に加えて駐車スペース２１に日陰が発生する。一方、雨天時には、駐車スペース２１への雨の降り込みが抑制され、駐車スペース２１に洗濯物が干されていてもその洗濯物が雨に濡れないようになっている。また、駐車スペース２１に車両Ｃがされていれば、雨天時であっても人は雨に濡れることなく車両Ｃに対する乗降を行うことができる。なお、ソーラパネル４１が下方位置にある場合、ソーラパネル４１は駐車スペース２１において屋根パネルとしての役割を果たしている。この場合、駐車スペース２１は、出入口２５として一側だけが開放された空間となり、その駐車スペース２１をあたかも屋内空間であるかのような半屋外空間として使用することができる。さらに、この場合、バルコニースペース３４の側方がソーラパネル４１により覆われている。したがって、バルコニー３１や二階部分１３の屋内空間に対する外部からの視線が遮られている。
【００４９】
次いで、コントローラ６１において実行されるソーラパネル４１の移動制御について、図４のフローチャートを参照しつつ説明する。
【００５０】
図４において、ステップＳ１０１では、コントローラ６１の操作部６１ａに対して行われた入力操作に基づいて、ソーラパネル４１に対する移動制御が自動設定とされたか否かを判定する。自動設定である場合、ステップＳ１０２に進み、現在時刻に基づいて、現在が夜間時間帯であるか否かを判定する。現在が夜間時間帯である場合、ステップＳ１０３に進み、ソーラパネル４１の位置を下方位置に設定する。この場合、ソーラパネル４１を下方位置まで移動させるように駆動してその後駆動停止する旨の指令信号をモータ６８に対して出力し、それにより、ソーラパネル４１を下方位置にて位置保持させる。
【００５１】
現在が夜間時間帯でない場合（ステップＳ１０２がＮＯ判定の場合）、すなわち現在が昼間時間帯である場合、ステップＳ１０４に進み、降雨感知センサ６３から入力された検出信号に基づいて、雨天であるか否かを判定する。雨天である場合、ステップＳ１０５に進み、車両Ｃ側から入力された車両信号に基づいて、駐車スペース２１に車両Ｃが駐車されているか否かを判定する。なお、車両Ｃに無線通信可能なカーナビゲーションシステムが搭載されている場合、カーナビゲーションシステムによる通信結果に基づいて、車両Ｃが駐車スペース２１に駐車されているか否かを判定してもよい。また、車両Ｃを検出する車両検出センサが駐車スペース２１に設けられていてもよく、この場合は、車両検出センサの検出結果に基づいて、車両Ｃが駐車スペース２１に駐車されているか否かを判定する。ちなみに、車両検出センサとしては、駐車スペース２１の床に配置されて車両Ｃの重量を検出するセンサや、駐車スペース２１を検出エリアとする超音波センサなどが挙げられる。
【００５２】
駐車スペース２１に駐車車両Ｃが有る場合、ステップＳ１０３にてソーラパネル４１を下方位置にて位置保持させ、駐車スペース２１に駐車車両Ｃが無い場合、ステップＳ１０６に進み、ソーラパネル４１の位置を中間位置に設定する。この場合、ソーラパネル４１を中間位置まで移動させるように駆動してその後駆動停止する旨の指令信号をモータ６８に対して出力し、それにより、ソーラパネル４１を中間位置にて位置保持させる。
【００５３】
雨天でない場合（ステップＳ１０４がＮＯ判定の場合）、ステップＳ１０７に進み、日射量検出センサ６４や発電量検出センサ６５、蓄電量検出センサ６６から入力された各種検出信号に基づいて、太陽光発電が必要であるか否かを判定する。例えばパネル面４１ａにおける日射量及びソーラパネル４１での発電量が小さく且つバッテリ８１における蓄電量が大きい場合は、太陽光発電が必要でないと判定し、ステップＳ１０３にてソーラパネル４１を下方位置で位置保持させる。なお、ソーラパネル４１が下方位置にある場合でもそのソーラパネル４１において太陽光発電が行われていてもよい。
【００５４】
一方、太陽光発電が必要である場合、例えば、パネル面４１ａにおける日射量及びソーラパネル４１での発電量が大きく且つバッテリ８１における蓄電量が小さい場合、ステップＳ１０８に進み、ソーラパネル４１の位置を上方位置に設定する。この場合、ソーラパネル４１を上方位置まで移動させるように駆動してその後駆動停止する旨の指令信号をモータ６８に対して出力し、それにより、ソーラパネル４１を上方位置にて位置保持させる。
【００５５】
また、ソーラパネル４１に対する移動制御が自動設定でない場合（ステップＳ１０１がＮＯ判定の場合）、ステップＳ１０９に進み、手動設定処理を行う。具体的には、コントローラ６１の操作部６１ａに対する入力操作の内容に応じて、ソーラパネル４１の位置を上方位置、中間位置及び下方位置のいずれかに設定する。これにより、ユーザの希望に沿った位置にてソーラパネル４１が位置保持される。
【００５６】
なお、ステップＳ１０１，Ｓ１０２，Ｓ１０４，Ｓ１０５，Ｓ１０７，Ｓ１０９は、ソーラパネル４１の移動条件を判定する判定手段に相当する。
【００５７】
以上詳述した本実施形態によれば、以下の優れた効果が得られる。
【００５８】
建物本体１１の上方に設けられているソーラパネル４１が、駐車スペース２１の上方を覆う位置（下方位置）に移動可能であるため、天気等の気象条件やユーザの都合に合わせて駐車スペース２１の状態を切り替えることができる。すなわち、駐車スペース２１を屋根付きスペース又は屋根無スペースに適宜切り替えることができる。この場合、例えば駐車スペース２１の上方が開放されていれば、太陽光や雨を駐車スペース２１に積極的に取り入れることができるため、晴天時には駐車スペース２１を物干しスペースとして使用することができる。また、駐車スペース２１の上方がソーラパネル４１により覆われていれば、太陽光や雨を遮ることができるため、人が雨に濡れずに車両Ｃに乗降することができる乗降スペースとして駐車スペース２１を使用したり、積極的に日陰を確保したりすることができる。したがって、建物に隣接する隣接野外空間としての駐車スペース２１の使い勝手を向上させることができる。
【００５９】
また、ソーラパネル４１は、バルコニースペース３４の上方を覆う位置（下方位置又は中間位置）に移動可能であるため、駐車スペース２１と同様に、気象条件やユーザの都合に合わせてバルコニースペースの状態を切り替えることができる。すなわち、バルコニースペース３４を屋根付きスペース（ロジア空間ともいう）又は屋根無しスペースに適宜切り替えることができる。この場合、バルコニースペース３４の上方が開放されていれば、太陽光や雨をバルコニースペース３４や二階部分１３の屋内空間に積極的に取り入れることができるため、晴天時にはバルコニースペース３４を物干しスペースとして使用することができる。
【００６０】
また、バルコニースペース３４の上方がソーラパネル４１により覆われていれば、太陽光や雨を遮ることができるため、バルコニー３１や二階部分１３の屋内空間において積極的に日陰を確保することができる。さらに、ソーラパネル４１が下方位置にある場合、バルコニースペース３４の上方に加えて側方も覆われるため、バルコニー３１や二階部分１３の内部空間に対する外部からの視線を遮ることができる。したがって、バルコニースペース３４の使い勝手を向上させることができる。
【００６１】
駐車スペース２１は、その三方が凹部壁面２２に囲まれているため、その上方がソーラパネル４１により覆われている場合に半屋外空間となる。この場合、駐車スペース２１に対して斜め上方から太陽光が照射されたり雨風が吹き付けられたりしても、太陽光の差し込みや雨の降り込みを抑制することが可能となる。
【００６２】
架台レール部４３及び凹部レール部５１がそれぞれ斜め方向に延びるように設けられているため、それらレール部４３，５１に沿わせて移動させることがソーラパネル４１を斜め方向に移動させることになる。したがって、駐車スペース２１の上方を覆わずに屋上部分１４よりも上方に位置する上方位置と、駐車スペース２１の上方を覆い且つ屋上部分１４よりも下方に位置する下方位置との間でソーラパネル４１が移動する構成を簡易化することが可能となる。
【００６３】
コントローラ６１によりソーラパネル４１の移動制御が行われるため、人が手作業でソーラパネル４１を移動させることなく、駐車スペース２１やバルコニースペース３４の用途やユーザの希望、気象条件等に合わせてソーラパネル４１を移動させることができる。したがって、駐車スペース２１やバルコニースペース３４の使い勝手をより一層向上させることができる。また、降雨感知センサ６３による検出信号に基づいてソーラパネル４１の移動制御が行われるため、雨天時にはその雨天に適した状態で駐車スペース２１やバルコニースペース３４を使用することができる。
【００６４】
（他の実施形態）
本発明は上記実施形態の記載内容に限定されず、例えば次のように実施されてもよい。
【００６５】
・上記実施形態では、駐車スペース２１の三方が凹部壁面２２に囲まれている構成としたが、駐車スペース２１の二方が凹部壁面２２に囲まれている構成としてもよい。例えば、図５に示すように、凹部壁面２２が横断面コ字状ではなく横断面Ｌ字状に形成されている構成とする。この場合、駐車スペース２１は、建物本体１１における２つの側面（例えば南側面及び東側面）に開放されている。駐車スペース２１における出入口２５側には、その出入口２５の両端部にそれぞれ支柱９１が立設されており、支柱９１の上端部に凹部レール部５１の下端部が連結されている。これにより、凹部レール部５１が支柱９１により支持されている。この場合でも、ソーラパネル４１が上方位置から中間位置や下方位置に移動可能となっている。なお、支柱９１は、連結部９２を介してバルコニー３１と連結されており、これにより、支柱９１の強度が高められている。
【００６６】
・上記実施形態では、駐車スペース２１は凹部１５の内側に設けられているが、凹部１５の外側に設けられていてもよい。要は、駐車スペース２１が建物本体１１に隣接するように設けられていればよく、この場合、ソーラパネル４１により駐車スペース２１の上方を覆うことが可能となる。
【００６７】
・上記実施形態では、ソーラパネル４１が駐車スペース２１の上方を覆う位置に移動可能な構成としたが、ソーラパネル４１が駐車スペース２１の側方を覆う位置に移動可能な構成としてもよい。例えば、ソーラパネル４１により駐車スペース２１の出入口２５が開閉される構成とする。図６（ａ）に示すように、対向する側方壁面２２ａにおける出入口２５側のそれぞれの端部には、出入口レール部９５が上下方向に延びるようにして取り付けられている。出入口レール部９５の上端部は凹部レール部５１の下端部と連結されており、ソーラパネル４１は、架台レール部４３及び凹部レール部５１に沿って斜め下方に移動するとともに、出入口レール部９５に沿って鉛直方向にスライド移動する。したがって、図６（ｂ）に示すように、ソーラパネル４１は、下方位置よりも下方に移動することで出入口２５を閉鎖することになる。
【００６８】
ここで、ソーラパネル４１が出入口２５に加えて駐車スペース２１の上方も閉鎖する構成とすれば、駐車スペース２１の側方及び上方部位がいずれも閉鎖されるため、駐車スペース２１におけるセキュリティ性を高めることができる。さらに、凹部１５の凹部壁面２２に玄関が設けられている構成とすれば、出入口２５をソーラパネル４１により閉鎖することで玄関に対するセキュリティ性を高めることができる。なお、ソーラパネル４１は、色素増感型太陽電池により構成されており、鉛直方向に延びる状態であっても太陽光発電を行うことが可能となっている。また、ソーラパネル４１は、複数のスラットにより構成されており、上下方向への移動に際し湾曲変形可能となっている。
【００６９】
・建物本体１１の屋上部分１４に複数のソーラパネル４１を互いに重なるように設け、それらソーラパネル４１が個別に移動可能な構成とする。この場合、太陽光発電を行うために１つのソーラパネル４１を上方位置にて位置保持させつつ、駐車スペース２１の上方を覆うために他のソーラパネル４１を下方位置にて位置保持させることが可能となる。これにより、駐車スペース２１の使い勝手を向上させつつ、太陽光発電の効率を向上させることができる。
【００７０】
・上記実施形態では、ソーラパネル４１は、３ヶ所にて位置保持される構成としたが、移動範囲であればいずれの位置でも位置保持される構成としてもよい。これにより、ソーラパネル４１により上方が覆われるスペースをきめ細かく設定することができる。
【００７１】
・上記実施形態では、雨天時において、駐車スペース２１に駐車車両Ｃが有る場合にソーラパネル４１が下方位置に移動されるが、駐車車両Ｃの有無に関係なくソーラパネル４１が下方位置に移動されてもよい。この場合、車両Ｃが駐車されていなくても、駐車スペース２１を屋根付きスペースとして使用することができる。
【００７２】
・上記実施形態では、ソーラパネル４１は、パネル面４１ａが斜め上方に延びるように設置されているが、パネル面４１ａが水平方向に延びるように設置されていてもよい。この場合でも、パネル面４１ａには太陽光が照射されるため、ソーラパネル４１において太陽光発電を行うことが可能となる。
【００７３】
・建物１０に、ミストを噴霧するミスト噴流装置９７が設けられていてもよい。図７に示すように、ミスト噴流装置９７は、水を霧状に噴出す噴霧口９８と、雨水を貯める雨水タンク９９と、噴霧口９８と雨水タンク９９とを繋ぐ配管（図示略）とを有している。噴霧口９８は、ソーラパネル４１の下端部に取り付けられるとともに、雨水タンク９９は外壁面に取り付けられており、雨水タンク９９は、貯留水を噴霧口９８に供給する給水ポンプを有している。給水ポンプは、ソーラパネル４１と電気的に接続されており、ソーラパネル４１にて発生された電力が供給ポンプに供給される構成となっている。雨水タンク９９から水が供給されて噴霧口９８からミストが噴霧されることで、駐車スペース２１周辺において快適な建物空間を作り上げることができる。
【００７４】
・上記実施形態では、ソーラパネル４１が駐車スペース２１の上方を覆う位置（上方位置）に移動する構成としたが、太陽光発電を行わない可動式パネルが駐車スペース２１の上方を覆う位置に移動する構成としてもよい。この場合でも、駐車スペース２１の使い勝手を向上させることができる。
【００７５】
・上記実施形態では、建物本体１１に隣接して駐車スペース２１が設けられているが、建物本体１１に隣接して中庭が設けられていてもよい。この場合、中庭の上方を覆う位置にソーラパネル４１が移動する構成とすることで、中庭スペースの使い勝手を向上させることができる。
【００７６】
・上記実施形態では、降雨感知センサ６３による検出結果に基づいて現在の気象が判定される構成としたが、インターネットから取得した気象情報に基づいて現在の気象が判定される構成としてもよい。例えば、コントローラ６１に、パーソナルコンピュータを介してインターネットが接続されている構成とする。この場合、予測された所定時間後の気象に応じて、ソーラパネル４１を前もって移動させておくことが可能となる。
【図面の簡単な説明】
【００７７】
【図１】本実施形態における建物の概要を示す斜視図。
【図２】建物の構成を説明するための説明図。
【図３】ソーラパネルの移動位置を説明するための説明図。
【図４】コントローラにおいて実行されるソーラパネルの移動制御処理を示すフローチャート。
【図５】別の建物の構成と示す図。
【図６】別の建物の構成と示す図。
【図７】別の建物の構成と示す図。
【符号の説明】
【００７８】
１０…建物、１１…建物本体、２１…駐車スペース、３１…バルコニー、３４…バルコニースペース、３８…開口部、４１…ソーラパネル、４３…架台レール部、５１…凹部レール部、６１…コントローラ、６３…降雨感知センサ、６８…モータ、８１…バッテリ、８２…電気設備、Ｃ…車両。
【図１】
2009155803.tif 000003
【図２】
2009155803.tif 000004
【図３】
2009155803.tif 000005
【図４】
2009155803.tif 000006
【図５】
2009155803.tif 000007
【図６】
2009155803.tif 000008
【図７】
2009155803.tif 000009